(57)【要約】【課題】  スクリーンの巻きずれをなくし得るスクリーン装置を提供すること。【解決手段】  建物の窓際に配されて好適に遮光し得る本例のスクリーン装置１は、Ｘ方向で互いに対向する側縁部２及び３にファスナー４を有したスクリーン５と、大径中央部８から小径端部６及び７に向かって縮径していると共にＲ方向の回転によりスクリーン５を巻き取る略太鼓状の巻き取り軸９と、巻き取り軸９の軸方向、本例ではＸ方向に伸びていると共にスクリーン５の面１０及び１１が平坦となるように当該スクリーン５の繰り出し端１２に連結されている重錘１３とを具備している。【選択図】図１
2005256369.tif 000002
【特許請求の範囲】
【請求項１】
側縁部にファスナーを有したスクリーンと、軸方向において中央部から両端部に向かって縮径されていると共に回転によりスクリーンを巻き取る巻き取り軸とを具備しているスクリーン装置。
【請求項２】
巻き取り軸は、回転自在な軸部材と、この軸部材の外周面に装着された外周部形成部材とを具備している請求項１に記載のスクリーン装置。
【請求項３】
外周部形成部材は、台形状部を有した薄板又はシートからなり、薄板又はシートは、巻き取り軸の軸方向に伸びている一方の縁部よりも長い他方の縁部から軸部材に巻き付けられている請求項２に記載のスクリーン装置。
【請求項４】
薄板又はシートの一方の縁部側における両隅部は、軸部材の中央部に配されていると共に、軸方向に関して薄板又はシートの他方の縁部側における両隅部から夫々等しい距離を隔てて配されている請求項３に記載のスクリーン装置。
【請求項５】
台形状部は、截頭二等辺三角形状の面を有している請求項３又は４に記載のスクリーン装置。
【請求項６】
外周部形成部材は、三角形状部を有した薄板又はシートからなり、薄板又はシートは、巻き取り軸の軸方向に伸びている底縁部から軸部材に巻き付けられている請求項２に記載のスクリーン装置。
【請求項７】
三角形状部は、二等辺三角形状の面を有している請求項６に記載のスクリーン装置。
【請求項８】
外周部形成部材は、軸部材の中央部に配される円筒体と、軸部材の中央部よりも端部側に配されると共に当該中央部から端部に向かって縮径している一対の中空截頭円錐体と、円筒体の両端部と一対の中空截頭円錐体の大径端部とを連結する連結手段とを具備している請求項２に記載のスクリーン装置。
【請求項９】
連結手段は、円筒体の端部及び中空截頭円錐体の大径端部のうちの一方に設けられた凸部又は凹部と、円筒体の端部及び中空截頭円錐体の大径端部のうちの他方に設けられた凹部又は凸部とを具備しており、凸部と凹部との嵌合により円筒体の両端部と一対の中空截頭円錐体の大径端部とを夫々連結するようになっている請求項８に記載のスクリーン装置。
【請求項１０】
外周部形成部材は、軸部材が挿通される中空部を有した一つの太鼓状部材からなる請求項２に記載のスクリーン装置。
【請求項１１】
巻き取り軸の軸方向に伸びていると共にスクリーンの面が平坦となるように当該スクリーンの繰り出し端に連結されている重錘を更に具備している請求項１から１０のいずれか一項に記載のスクリーン装置。
【請求項１２】
スクリーンと、軸方向において中央部から両端部に向かって縮径されていると共に回転によりスクリーンを巻き取る巻き取り軸と、巻き取り軸の軸方向に伸びていると共にスクリーンの面が平坦となるように当該スクリーンの繰り出し端に連結されている重錘とを具備しているスクリーン装置。
【発明の詳細な説明】
【技術分野】
【０００１】
本発明は、建物の窓際に配されて好適なスクリーン装置に関する。
【背景技術】
【０００２】
【特許文献１】特開２００１−３１４５２１号公報
【０００３】
例えば特許文献１には、側縁部に面ファスナーを有したスクリーンと、このスクリーンを巻き取る巻き取り軸とを具備しているスクリーン装置が提案されている。
【発明の開示】
【発明が解決しようとする課題】
【０００４】
ところで、斯かるスクリーン装置では、例えば巻き取り軸が単に円柱状部材、円筒状部材等からなる場合には、スクリーン及び巻き取り軸の取付誤差やスクリーンの伸び等に起因する巻きずれが生じる虞があり、斯かる巻きずれは、スクリーンに皺を生じさせたり、スクリーンの側縁部を損傷させたり、場合によりスクリーンの巻き取り及び繰り出しが困難となり得る。特に、ファスナー付きのスクリーンを巻き取る場合には、ファスナーが設けられているスクリーンの側縁部が厚くなっているために、巻きずれが更に生じ易くなる虞がある。
【０００５】
本発明は、前記諸点に鑑みてなされたものであり、その目的とするところは、スクリーンの巻きずれをなくし得るスクリーン装置を提供することにある。
【課題を解決するための手段】
【０００６】
本発明の第一の態様のスクリーン装置は、側縁部にファスナーを有したスクリーンと、軸方向において中央部から両端部に向かって縮径されていると共に回転によりスクリーンを巻き取る巻き取り軸とを具備している。
【０００７】
第一の態様のスクリーン装置によれば、巻き取り軸が中央部から両端部に向かって縮径されているために、巻き取り軸の大径の中央部における回転走行量と当該巻き取り軸の小径の両端部における回転走行量との関係において、巻き取り軸によるスクリーンの巻き取りの際に調心力を生じさせ得、而して、ファスナーを有したスクリーンの巻きずれをなくし得る。
【０００８】
本発明の第二の態様のスクリーン装置では、第一の態様のスクリーン装置において、巻き取り軸は、回転自在な軸部材と、この軸部材の外周面に装着された外周部形成部材とを具備している。
【０００９】
第二の態様のスクリーン装置によれば、上述の構成を具備しているために、単に円柱状、円筒状等の軸部材からなる既設の巻き取り軸に対して外周部形成部材を装着することができる。
【００１０】
本発明の第三の態様のスクリーン装置では、第二の態様のスクリーン装置において、外周部形成部材は、台形状部を有した薄板又はシートからなり、薄板又はシートは、巻き取り軸の軸方向に伸びている一方の縁部よりも長い他方の縁部から軸部材に巻き付けられている。
【００１１】
本発明の第四の態様のスクリーン装置では、第三の態様のスクリーン装置において、薄板又はシートの一方の縁部側における両隅部は、軸部材の中央部に配されていると共に、軸方向に関して薄板又はシートの他方の縁部側における両隅部から夫々等しい距離を隔てて配されている。
【００１２】
本発明の第五の態様のスクリーン装置では、第三又は第四の態様のスクリーン装置において、台形状部は、截頭二等辺三角形状の面を有している。
【００１３】
本発明の第六の態様のスクリーン装置では、第二の態様のスクリーン装置において、外周部形成部材は、三角形状部を有した薄板又はシートからなり、薄板又はシートは、巻き取り軸の軸方向に伸びている底縁部から軸部材に巻き付けられている。
【００１４】
本発明の第七の態様のスクリーン装置では、第六の態様のスクリーン装置において、三角形状部は、二等辺三角形状の面を有している。
【００１５】
第三から第七のいずれかの態様のスクリーン装置によれば、上述の構成を具備しているために、巻き取り軸にテーパ研削等をすることなくいわゆるクラウンを有した巻き取り軸を形成することができてスクリーン装置を簡単に製造することができ、また、薄板又はシートを形成する材料の無駄を減少させ得てスクリーン装置の製造コストを低減することができ、更に、単に円柱状、円筒状等の軸部材からなる既設の巻き取り軸を配設したままでも当該巻き取り軸に外周部形成部材を装着することができる。
【００１６】
本発明の第八の態様のスクリーン装置では、第二の態様のスクリーン装置において、外周部形成部材は、軸部材の中央部に配される円筒体と、軸部材の中央部よりも端部側に配されると共に当該中央部から端部に向かって縮径している一対の中空截頭円錐体と、円筒体の両端部と一対の中空截頭円錐体の大径端部とを連結する連結手段とを具備している。
【００１７】
第八の態様のスクリーン装置によれば、上述の構成を具備しているために、一対の中空截頭円錐体を夫々同様の加工によって形成することができ、而して、スクリーン装置を簡単に製造することができると共に、一対の中空截頭円錐体を同形状に形成し得てスクリーンの巻きずれが生じる虞を更に低減させることができる。
【００１８】
本発明の第九の態様のスクリーン装置では、第八の態様のスクリーン装置において、連結手段は、円筒体の端部及び中空截頭円錐体の大径端部のうちの一方に設けられた凸部又は凹部と、円筒体の端部及び中空截頭円錐体の大径端部のうちの他方に設けられた凹部又は凸部とを具備しており、凸部と凹部との嵌合により円筒体の両端部と一対の中空截頭円錐体の大径端部とを夫々連結するようになっている。
【００１９】
本発明の第十の態様のスクリーン装置では、第二の態様のスクリーン装置において、外周部形成部材は、軸部材が挿通される中空部を有した一つの太鼓状部材からなる。
【００２０】
本発明の第十一の態様のスクリーン装置では、第一から第十のいずれかの態様のスクリーン装置において、巻き取り軸の軸方向に伸びていると共にスクリーンの面が平坦となるように当該スクリーンの繰り出し端に連結されている重錘を更に具備している。
【００２１】
第十一の態様のスクリーン装置によれば、上述の構成を具備しているために、スクリーンの巻きずれが生じる虞を更に低減し得る。
【００２２】
本発明の第十二の態様のスクリーン装置は、スクリーンと、軸方向において中央部から両端部に向かって縮径されていると共に回転によりスクリーンを巻き取る巻き取り軸と、巻き取り軸の軸方向に伸びていると共にスクリーンの面が平坦となるように当該スクリーンの繰り出し端に連結されている重錘とを具備している。
【発明の効果】
【００２３】
本発明によれば、スクリーンの巻きずれをなくし得るスクリーン装置を提供し得る。
【発明を実施するための最良の形態】
【００２４】
次に、本発明の実施の形態の例を、図に示す例に基づいて更に詳細に説明する。尚、本発明はこれら例に何等限定されないのである。
【実施例】
【００２５】
図１から図６において、建物の窓際に配されて遮光し得る本例のスクリーン装置１は、Ｘ方向で互いに対向する側縁部２及び３にファスナー４を有したスクリーン５と、大径中央部８から小径端部６及び７に向かって縮径していると共にＲ方向の回転によりスクリーン５を巻き取る略太鼓状の巻き取り軸９と、巻き取り軸９の軸方向、本例ではＸ方向に伸びていると共にスクリーン５の面１０及び１１が平坦となるように当該スクリーン５の繰り出し端１２に連結されている重錘１３とを具備している。
【００２６】
スクリーン５は、可撓性のスクリーン本体１５と、スクリーン本体１５の下縁を重錘１３に連結する連結部１６とを具備しており、スクリーン本体１５の上縁は、巻き取り軸９に固着されている。尚、ファスナー４は、例えば複数のスクリーン装置１が並設された場合に、Ｘ方向で互いに隣接するスクリーン５を連結するのに用いられ、スライドファスナー、面ファスナー等によって具体化される。
【００２７】
連結部１６は、スクリーン本体１５の下縁に一体的に設けられていると共に重錘１３に巻き回されて筒状となっている。
【００２８】
巻き取り軸９は、Ｒ方向に回転自在である軸部材１７と、軸部材１７の外周面１８に装着された外周部形成部材１９とを具備している。
【００２９】
軸部材１７は、Ｘ方向に伸びた円筒体２０と、円筒体２０のＸ方向における端部２１及び２２に夫々配されていると共に円筒体２０の中空部２３を塞いでいる円盤部材２４とを具備しており、円盤部材２４は、軸２５、軸受２６等を介して建物壁部２７に回転自在に取り付けられている。軸部材１７は、電動モータ（図示せず）等に連結されており、当該電動モータ等の作動によりＲ方向に回転されるようになっている。
【００３０】
外周部形成部材１９は、例えば、図１及び２に示すように、軸部材１７が挿通される中空部を有した一つの太鼓状部材２８からなっていてもよく、図３及び図４に示すように、可撓性を有した薄板又はシート（以下、薄板等と称する）２９からなっていてもよく、更にまた、図６に示すように、円筒体３０、一対の中空截頭円錐体３１及び３２並びに円筒体３０と一対の中空截頭円錐体３１及び３２とを連結する連結手段３３からなっていてもよい。
【００３１】
図１及び図２に示す太鼓状部材２８は、その中央部からＸ方向における両端部に向かって縮径して形成されており、このように形成されているために、大径中央部８から小径端部６及び７に向かって縮径した巻き取り軸９を構成することができる。
【００３２】
図３に示す薄板等２９は、例えば図４に示すように、台形状部３４と、台形状部３４のＸ方向に伸びた一方縁に一体的に設けられているＸ方向に伸びた矩形状の縁部３５と、台形状部３４のＸ方向に伸びた他方縁に一体的に設けられているＸ方向に伸びた矩形状の縁部３６とを具備している。薄板等２９は、縁部３６が軸部材１７に固着されると共に縁部３６から軸部材１７に巻き回される。台形状部３４は、本例では截頭二等辺三角形状の面３７を有している。
【００３３】
縁部３５は、図３に示すように軸部材１７の中央部に配される。縁部３５は、Ｘ方向において長さＬ２を有しており、縁部３６は、Ｘ方向において長さＬ２よりも長い長さＬ３を有している。縁部３６は、Ｘ方向において縁部３５よりも長い。縁部３６は、軸部材１７を一巻きすることができる程度の幅Ｗを有している。尚、縁部３５は、本例では、縁部３６の幅Ｗと同等の幅Ｗを有している。
【００３４】
薄板等２９の縁部３５側における隅部３８及び３９は、軸部材１７の中央部に配されていると共に、Ｘ方向に関して薄板等２９の縁部３６側における隅部４０及び４１から夫々等しい距離Ｌ１を隔てて配されている。
【００３５】
斯かる薄板等２９は、例えば図５に示すように、一枚の薄板材又はシート材から切り出すことにより材料の無駄をなくし得る。
【００３６】
以上の薄板等２９は、軸部材１７に巻き付けられることにより軸部材１７の中央部において軸部材１７のＸ方向における端部側よりも多く重合されるために、大径中央部８から小径端部６及び７に向かって縮径した巻き取り軸９を構成することができる。
【００３７】
図６に示すように、円筒体３０は、軸部材１７の中央部に配され、中空截頭円錐体３１及び３２は、軸部材１７の中央部よりも軸部材１７のＸ方向における端部側に配されて当該中央部から端部に向かって夫々縮径しており、連結手段３３は、円筒体３０のＸ方向における端部４２及び４３と中空截頭円錐体３１及び３２の大径端部４４及び４５とを連結する。中空截頭円錐体３１及び３２は、夫々互いに同様のテーパ研削等の加工により同形状に形成されている。
【００３８】
連結手段３３は、円筒体３０の端部４２及び４３に設けられた凸部４６と、中空截頭円錐体３１及び３２の大径端部４４及び４５に設けられた凹部４７とを具備しており、凸部４６と凹部４７との嵌合により円筒体３０の端部４２及び４３と中空截頭円錐体３１及び３２の大径端部４４及び４５とを夫々連結するようになっている。尚、本例では、凸部４６は円筒体３０に、凹部４７は中空截頭円錐体３１及び３２に夫々設けられているが、例えば、凸部４６は中空截頭円錐体３１及び３２に、凹部４７は円筒体３０に夫々設けられていてもよい。
【００３９】
重錘１３は、スクリーン５の繰り出し端１２全体に亘ってＸ方向に伸びた棒状部材４８と、棒状部材４８のＸ方向における両端部に夫々設けられた円板部材４９とを具備しており、棒状部材４８は、連結部１６に上述のように連結されてスクリーン５の面１０及び１１が平坦となるようにしている。
【００４０】
本例のスクリーン装置１は、巻き取り軸９がＲ方向において回転することによりスクリーン５を巻き取る一方、巻き取り軸９がＲ方向において逆回転することによりスクリーン５を繰り出すようになっている。巻き取り軸９の大径中央部８における回転走行量は、小径端部６及び７における回転走行量よりも多い。
【００４１】
以上のスクリーン装置１によれば、側縁部２及び３にファスナー４を有したスクリーン５と、Ｘ方向において大径中央部８から小径端部６及び７に向かって縮径されていると共にＲ方向の回転によりスクリーン５を巻き取る巻き取り軸９とを具備しているために、巻き取り軸９の大径中央部８における回転走行量と小径端部６及び７における回転走行量との関係において、巻き取り軸９によるスクリーン５の巻き取りの際に調心力を生じさせ得、而して、ファスナー４を有したスクリーン５の巻きずれをなくし得る。斯かる巻きずれをなくすことで、スクリーン５に皺やファスナー４が設けられている部分の損傷を生じさせないようにすることができ、スクリーン４の巻き取り及び繰り出しを巻きずれを生じさせることなく確実に行い得る。
【００４２】
スクリーン装置１によれば、巻き取り軸９は、回転自在な軸部材１７と、軸部材１７の外周面１８に装着された外周部形成部材１９とを具備しているために、単に円柱状、円筒状等の軸部材からなる既設の巻き取り軸９に対して外周部形成部材１９を装着することができる。
【００４３】
スクリーン装置１によれば、外周部形成部材１９を軸部材１７が挿通される中空部を有した一つの太鼓状部材２８によって形成し得るために、外周部形成部材１９の軸部材１７への組み付けを容易に行い得る。
【００４４】
スクリーン装置１によれば、外周部形成部材１９を薄板等２９によって形成し得るために、巻き取り軸９にテーパ研削等をすることなくいわゆるクラウンを有した巻き取り軸９を形成することができてスクリーン装置１を簡単に製造することができ、また、薄板等２９を形成する材料の無駄を減少させ得てスクリーン装置１の製造コストを低減することができ、更に、単に円柱状、円筒状等の軸部材からなる既設の巻き取り軸９を配設したままでも当該巻き取り軸９に外周部形成部材１９を装着することができる。
【００４５】
スクリーン装置１によれば、軸部材１７の中央部に配される円筒体３０と、軸部材１７の中央部よりもＸ方向における端部側に配されると共に当該中央部からＸ方向における端部に向かって縮径している一対の中空截頭円錐体３１及び３２と、円筒体３０の端部４２及び４３と中空截頭円錐体３１及び３２の大径端部４４及び４５とを連結する連結手段３３とによって外周部形成部材１９を形成し得るために、中空截頭円錐体３１及び３２を夫々同様の加工によって形成することができ、而して、スクリーン装置１を簡単に製造することができると共に、一対の中空截頭円錐体３１及び３２を同形状に形成し得てスクリーン５の巻きずれが生じる虞を更に低減させることができる。
【００４６】
スクリーン装置１によれば、Ｘ方向に伸びていると共にスクリーン５の面１０及び１１が平坦となるように当該スクリーン５の繰り出し端１２に連結されている重錘１３を具備しているために、スクリーン５の巻きずれが生じる虞を更に低減し得る。
【００４７】
尚、外周部形成部材１９は、薄板等２９に代えて、例えば、三角形状部を有した薄板又はシートからなっていてもよく、斯かる場合には、当該薄板又はシートは、巻き取り軸の軸方向に伸びている底縁部から軸部材１７に巻き付けられており、また、三角形状部は、二等辺三角形状の面を有していてもよい。
【００４８】
また、巻き取り軸９は、完全に巻き取られたスクリーン５のＸ方向における中央部（大径中央部８に対応する部分）の径と当該スクリーン５のＸ方向における両端部（小径端部６及び７に対応する部分）の径と略同等となるように又は前記中央部の径が前記両端部の径よりも若干大きくなるように、大径中央部８から小径端部６及び７までに亘って漸次縮径されていてもよく、このように構成された巻き取り軸９によれば、スクリーン５の繰り出し端１２側の部分が平坦となるように、又は若干の緩やかな曲率を有するように、スクリーン５を巻き取ることができる。
【図面の簡単な説明】
【００４９】
【図１】本発明の実施の形態の例の正面説明図である。
【図２】図１に示す例の側断面説明図である。
【図３】図１に示す例の主に巻き取り軸の説明図である。
【図４】図３に示す例の主に薄板又はシートの説明図である。
【図５】図３に示す例の主に薄板又はシートの説明図である。
【図６】図１に示す例の主に巻き取り軸の説明図である。
【符号の説明】
【００５０】
１  スクリーン装置
２、３  側縁部
４  ファスナー
５  スクリーン
６、７  小径端部
８  大径中央部
９  巻き取り軸
１２  繰り出し端
１３  重錘
【図１】
2005256369.tif 000003
【図２】
2005256369.tif 000004
【図３】
2005256369.tif 000005
【図４】
2005256369.tif 000006
【図５】
2005256369.tif 000007
【図６】
2005256369.tif 000008